(57)【要約】【課題】機能性を向上する。【解決手段】小切手処理機１は、小切手ＣＫを入出する入金部４と、入金部４から搬送される小切手ＣＫを搬送幅方向に幅寄せするアライナ部５と、アライナ部５よりも、入金部４において受け入れた小切手ＣＫの入金収納時搬送方向の下流側に設けられ、小切手ＣＫの所定の小切手表面及び小切手裏面に取引情報を印字する取引情報印字部６６と、取引情報印字部６６よりも入金収納時搬送方向の下流側に設けられ、小切手ＣＫを一時的に保留する一時保留部７と、入金部４、アライナ部５、取引情報印字部６６及び一時保留部７を順次接続し小切手ＣＫを搬送する搬送路３６と、搬送路３６に設けられ、小切手ＣＫの表裏の向きが予め設定されている向きに対し逆の場合、該小切手ＣＫの表裏を反転し、該小切手ＣＫを、小切手表面及び小切手裏面に取引情報印字部６６が取引情報を印字し得る向きにする表裏反転部８０とを設けるようにした。【選択図】図１
2017186132.tif 000002
【特許請求の範囲】
【請求項１】
紙葉状の媒体を受け入れる受入部と、
前記受入部から搬送される前記媒体を搬送幅方向に幅寄せする幅寄せ部と、
前記幅寄せ部よりも、前記受入部において受け入れた前記媒体の受入搬送方向の下流側に設けられ、前記媒体の所定の印字面に取引情報を印字する取引情報印字部と、
前記取引情報印字部よりも前記受入搬送方向の下流側に設けられ、前記媒体を一時的に保留する一時保留部と、
前記受入部、前記幅寄せ部、前記取引情報印字部及び前記一時保留部を順次接続し前記媒体を搬送する搬送路と、
前記搬送路に設けられ、前記媒体の表裏の向きが予め設定されている向きに対し逆の場合、該媒体の表裏を反転し、該媒体を前記印字面に前記取引情報印字部が前記取引情報を印字し得る向きにする表裏反転部と
を有する媒体処理装置。
【請求項２】
前記媒体に磁気インクで印刷された磁気文字を読み取る磁気文字読取部と、前記媒体の画像を読み取る画像読取部とを有するスキャナ部をさらに有し、
前記表裏反転部は、前記スキャナ部よりも前記受入搬送方向の上流側に設けられている
請求項１に記載の媒体処理装置。
【請求項３】
利用済みの前記媒体を収納する媒体収納庫
をさらに有し、
前記搬送路は、
前記受入部と接続された第１搬送路と、
前記媒体の搬送経路を切り替える第１切替部を介して前記第１搬送路と接続され前記一時保留部の方向へ向かう第２搬送路と、
前記第１切替部を介して前記第１搬送路及び第２搬送路と接続され前記媒体収納庫の方向へ向かう第３搬送路と
を有し、
前記表裏反転部は、前記第１搬送路及び前記第３搬送路により構成される
請求項２に記載の媒体処理装置。
【請求項４】
前記スキャナ部で取得した、前記受入搬送方向に搬送された前記媒体の読取結果に基づき、前記媒体が裏向きであると判定した場合、該媒体を、前記第２搬送路を前記受入搬送方向の逆向きに前記第１切替部まで搬送させ、前記第１搬送路又は前記第３搬送路の一方に搬送させ、前記第１搬送路又は前記第３搬送路の他方に搬送させ、前記第２搬送路へ搬送させることにより、前記媒体の表裏を反転させる制御部
をさらに有する請求項３に記載の媒体処理装置。
【請求項５】
前記媒体に磁気インクで印刷された磁気文字を読み取る磁気文字読取部と、前記媒体の画像を読み取る画像読取部とを有するスキャナ部をさらに有し、
前記表裏反転部は、前記スキャナ部よりも前記受入搬送方向の下流側に設けられている
請求項１に記載の媒体処理装置。
【請求項６】
利用者が取り忘れた媒体が収納される取忘れ回収部
をさらに有し、
前記搬送路は、
前記スキャナ部を通過し前記一時保留部の方向へ向かう第２搬送路と、
前記媒体の搬送経路を切り替える第２切替部を介して前記第２搬送路と接続され前記取忘れ回収部へ向かう取忘れ回収部搬送路と、
前記第２切替部を介して前記取忘れ回収部搬送路と接続され前記一時保留部へ向かう取忘れ回収部一時保留部接続搬送路と
を有し、
前記表裏反転部は、前記取忘れ回収部搬送路及び前記取忘れ回収部一時保留部接続搬送路により構成される
請求項５に記載の媒体処理装置。
【請求項７】
前記スキャナ部で取得した、前記受入搬送方向に搬送された前記媒体の読取結果に基づき、前記媒体が裏向きであると判定した場合、該媒体を、前記第２切替部を介し前記取忘れ回収部搬送路を前記取忘れ回収部へ向かって搬送させ、前記第２切替部を介し前記取忘れ回収部一時保留部接続搬送路を前記一時保留部へ向かって搬送させることにより、表裏を反転させる制御部
をさらに有する請求項６に記載の媒体処理装置。
【請求項８】
前記制御部は、前記取忘れ回収部内まで前記媒体の少なくとも一部を搬送させた後に、前記取忘れ回収部内から前記媒体を繰り出させる
請求項７に記載の媒体処理装置。
【請求項９】
前記媒体に磁気インクで印刷された磁気文字を読み取る磁気文字読取部と、
前記媒体の搬送幅方向に沿う左右方向の向きが予め設定されている向きに対し逆の場合、該媒体の左右を反転し、該媒体を前記磁気文字読取部が前記磁気文字を読み取り得る向きにする左右反転部と
をさらに有する請求項１に記載の媒体処理装置。
【請求項１０】
前記左右反転部は、前記媒体を把持し該媒体の搬送方向に沿う方向を軸として１８０度回転することにより、該媒体の表裏を反転させると共に左右を反転させる
請求項９に記載の媒体処理装置。
【請求項１１】
前記左右反転部から左右及び表裏が反転され前記搬送路に繰り出された前記媒体の表裏の向きが予め設定されている向きに対し逆の場合、前記表裏反転部に該媒体を搬送させて該媒体の表裏を反転し、該媒体を前記印字面に前記取引情報印字部が前記取引情報を印字し得る向きにする制御部
をさらに有する請求項９に記載の媒体処理装置。
【請求項１２】
前記媒体の画像を読み取る画像読取部をさらに有し、
前記制御部は、前記表裏反転部に前記媒体を搬送させて該媒体の表裏を反転させ、前記左右反転部において左右が反転される前に前記画像読取部において読み取った前記媒体の画像の表裏を反転させる
請求項１１に記載の媒体処理装置。
【請求項１３】
利用済みの前記媒体を収納する第１媒体収納庫及び第２媒体収納庫
をさらに有し、
前記搬送路は、
前記受入部と接続された第１搬送路と、
前記媒体の搬送経路を切り替える第１切替部を介して前記第１搬送路と接続され前記第１媒体収納庫及び前記第２媒体収納庫の方向へ向かう第３搬送路と、
前記媒体の搬送経路を切り替える第３切替部を介して前記第３搬送路と接続され前記第１媒体収納庫へ向かう媒体収納庫第１搬送路と、
前記第３切替部を介して前記第３搬送路と接続され前記第２媒体収納庫へ向かう媒体収納庫第２搬送路と
を有する
請求項１に記載の媒体処理装置。
【発明の詳細な説明】
【技術分野】
【０００１】
本発明は媒体処理装置に関し、例えば小切手や有価証券の入金機に適用して好適なものである。
【背景技術】
【０００２】
従来、金融機関等で使用される小切手受付装置においては、利用者との取引内容に応じて、例えば利用者に小切手を入金させる入金取引や、利用者へ小切手を返却する返却取引等の各種取引を行う。このような小切手受付装置として、例えば小切手の入出金に関する処理を行う小切手処理機を搭載したものがある。この小切手受付装置としては、例えば利用者との間で小切手の授受を行う入金部と、小切手を搬送する搬送部と、投入された小切手を所定の基準面へ幅寄せする幅寄せ部と、小切手の画像を取得し、小切手の磁気文字情報を読み取るスキャナ部と、投入された小切手の裏面に、小切手が取引に使用されたことを示す印字を行う印字部と、投入された小切手を一時的に保留する一時保留部と、小切手を収納する小切手収納庫とを有するものが提案されている（例えば、特許文献１参照）。
【先行技術文献】
【特許文献】
【０００３】
【特許文献１】米国特許第８５０５９１２号明細書
【発明の概要】
【発明が解決しようとする課題】
【０００４】
そのような小切手処理機においては、予め設定された表裏の向きの逆方向、すなわち裏向きの状態で投入された小切手の表裏を反転させることにより、予め設定された表裏の向きに小切手を搬送させ、裏面に印字を行うことが望まれている。
【０００５】
本発明は以上の点を考慮してなされたもので、機能性を向上し得る媒体処理装置を提案しようとするものである。
【課題を解決するための手段】
【０００６】
かかる課題を解決するため本発明の媒体処理装置においては、紙葉状の媒体を受け入れる受入部と、受入部から搬送される媒体を搬送幅方向に幅寄せする幅寄せ部と、幅寄せ部よりも、受入部において受け入れた媒体の受入搬送方向の下流側に受入部、媒体の所定の印字面に取引情報を印字する取引情報印字部と、取引情報印字部よりも受入搬送方向の下流側に設けられ、媒体を一時的に保留する一時保留部と、受入部、幅寄せ部、取引情報印字部及び一時保留部を順次接続し媒体を搬送する搬送路と、搬送路に設けられ、媒体の表裏の向きが予め設定されている向きに対し逆の場合、該媒体の表裏を反転し、該媒体を印字面に取引情報印字部が取引情報を印字し得る向きにする表裏反転部とを設けるようにした。
【０００７】
本発明は、裏向き媒体の表裏を反転することにより、取引情報印字部により媒体における所定の印字面に取引情報を印字できる。
【発明の効果】
【０００８】
本発明によれば、裏向き媒体の表裏を反転することにより、取引情報印字部により媒体における所定の印字面に取引情報を印字できる。かくして本発明は、機能性を向上し得る媒体処理装置を実現できる。
【図面の簡単な説明】
【０００９】
【図１】第１の実施の形態による小切手処理機の構成を示す左側面図である。
【図２】小切手の構成を示す平面図である。
【図３】第１の実施の形態による入金読取処理手順を示すフローチャートである。
【図４】入金読取処理における小切手の流れ（１）を示す左側面図である。
【図５】入金読取処理における小切手の流れ（２）を示す左側面図である。
【図６】入金読取処理における小切手の流れ（３）を示す左側面図である。
【図７】入金読取処理における小切手の流れ（４）を示す左側面図である。
【図８】入金読取処理における小切手の流れ（５）を示す左側面図である。
【図９】入金読取処理における小切手の流れ（６）を示す左側面図である。
【図１０】入金読取処理における小切手の流れ（７）を示す左側面図である。
【図１１】入金読取処理における小切手の流れ（８）を示す左側面図である。
【図１２】入金読取処理における小切手の流れ（９）を示す左側面図である。
【図１３】入金読取処理における小切手の流れ（１０）を示す左側面図である。
【図１４】入金読取処理における小切手の流れ（１１）を示す左側面図である。
【図１５】入金読取処理における小切手の流れ（１２）を示す左側面図である。
【図１６】入金読取処理における小切手の流れ（１３）を示す左側面図である。
【図１７】第２の実施の形態による小切手処理機の構成を示す左側面図である。
【図１８】第３の実施の形態による小切手処理機の構成を示す左側面図である。
【図１９】ハンドの構成を示す平面図である。
【図２０】第３の実施の形態による入金読取処理手順（１）を示すフローチャートである。
【図２１】第３の実施の形態による入金読取処理手順（２）を示すフローチャートである。
【発明を実施するための形態】
【００１０】
以下、発明を実施するための形態（以下実施の形態とする）について、図面を用いて説明する。
【００１１】
［１．第１の実施の形態］
［１−１．小切手処理機の構成］
図１に示すように、小切手処理機１は、箱状の筐体２を中心に構成されており、利用者との間で入金処理等の小切手に関する取引を行う小切手受付装置の受付機筐体（図示せず）内に配され、小切手に関する種々の処理を行う。以下では、小切手処理機１のうち利用者が対峙する側を前側とし、その反対を後側とし、該前側に対峙した利用者から見て左及び右をそれぞれ左側及び右側とし、さらに上側及び下側を定義して説明する。
【００１２】
筐体２内には、小切手処理機１を制御する制御部３と、利用者との間で小切手を授受する入金部４と、小切手を各部へ搬送する搬送路３６と、小切手を所定の基準面へ幅寄せするアライナ部５と、小切手の画像及び磁気情報を読み取ると共に取引情報の印字を行うスキャナ部６と、小切手を一時的に収納する一時保留部７と、利用者が入金部４から取り忘れた小切手を回収して格納する取忘れ回収部８と、利用済みの小切手を収納する２個の小切手収納庫９（９Ａ及び９Ｂ）とが設けられている。また筐体２内には、入金部４、アライナ部５、スキャナ部６、一時保留部７、取忘れ回収部８及び小切手収納庫９を支える図示しないフレームが設けられている。
【００１３】
制御部３は、図示しないＣＰＵ（Central Processing Unit）を中心に構成されており、図示しないＲＯＭ（Read Only Memory）やフラッシュメモリ等から所定のプログラムを読み出して実行することにより、入金処理等の種々の処理を行う。また制御部３は、内部にＲＡＭ（Random Access Memory）、ハードディスクドライブやフラッシュメモリ等でなる記憶部を有しており、この記憶部に種々の情報を記憶させる。また制御部３は、筐体２内部に設けられた各センサの監視や、各アクチュエータの駆動や、各種判断等を行うと共に、小切手受付装置全体を制御する主制御部との通信を行う。
【００１４】
搬送路３６は、第１搬送路３７、第２搬送路３８、第３搬送路３９、一時保留部搬送路４０及び取忘れ回収部搬送路４１により構成されており、図中に実線で示すように筐体２内の各部を接続し、回転するローラや小切手を案内するガイド等が適宜配置されており、小切手の長手方向を進行方向に沿わせて搬送する。以下では、搬送路３６に設けられたローラを任意の方向へ回転させる複数のモータをまとめて搬送モータとも呼ぶ。
【００１５】
また搬送路３６には、複数の切替部が配置されている。各切替部は、ブレードと呼ばれる部材（図中三角形で示す）及びその周囲に配置された複数のローラにより構成されている。ブレードは、左右方向に複数個が並び、且つ左右方向から見て楔形に形成されており、回転して傾斜方向を変化させることで小切手の搬送方向を切り替える。各ローラは、小切手の搬送路を挟んで互いに対向するように配置されている。この切替部は、制御部３の制御に従い、各小切手の搬送先に応じてブレードの傾斜方向を変化させると共に各ローラを所定の回転方向へ回転させることにより、小切手の搬送方向を適宜切り替えて所望の搬送先へ搬送する。
【００１６】
ここで、図２に示すように、小切手ＣＫは長方形状の紙葉状の媒体であり、磁気インク文字認識（ＭＩＣＲ（Magnetic ink character recognition）文字）である磁気文字ＭＩＣＲが印刷されている。この磁気文字ＭＩＣＲは、小切手ＣＫ毎に固有の文字列であり、小切手ＣＫが識別されるために用いられる。この磁気文字ＭＩＣＲは、小切手ＣＫの一方の長辺である磁気文字側長辺ＭＳ寄りに配置され、小切手ＣＫの長手方向に沿う複数の文字により構成されている。以下では小切手ＣＫにおいて磁気文字ＭＩＣＲが配置されている領域を磁気文字領域ＡＭＩＣＲとも呼ぶ。この磁気文字領域ＡＭＩＣＲは、小切手ＣＫにおける位置が規格により定められている。小切手ＣＫは、磁気文字ＭＩＣＲが印刷された面が小切手表面（磁気文字印字面とも呼ぶ）として扱われ、該小切手表面の紙面の逆側が小切手裏面として扱われる。小切手処理機１は、磁気文字側長辺ＭＳが右側、すなわち基準面側となる状態で小切手ＣＫを搬送する。
【００１７】
入金部４（図１）は、筐体２内における前上部、すなわち入金処理時の小切手ＣＫの搬送方向の最上流に位置している。以下では入金処理においてまず行われる、入金された小切手ＣＫの磁気情報及び画像を読み取る入金読取処理における小切手ＣＫ及び小切手束ＣＫＢの搬送方向を入金読取時搬送方向とも呼ぶ。入金部４の前端には、複数の小切手ＣＫが紙面を上下方向に向けて束状に積み重ねられた媒体束としての小切手束ＣＫＢを利用者から受け取り後方の束搬送部１０へ受け渡すと共に、束搬送部１０を前方へ搬送されてきた小切手束ＣＫＢを利用者に引き渡す入出金口４Ｆが形成されている。この入出金口４Ｆは、小切手受付装置の受付機筐体に接続されることにより、利用者から前後方向に沿って後方へ向かって挿入された小切手束ＣＫＢを受け取り後方の束搬送部１０へ受け渡すと共に、束搬送部１０を前方へ搬送されてきた小切手束ＣＫＢを利用者に引き渡す。
【００１８】
また入出金口４Ｆには、該入出金口４Ｆの下側のガイドを形成する入出金口下側ガイドの上側において図示しないシャッタモータにより上下に移動するシャッタ４Ｓが設けられている。入金部４は、シャッタ４Ｓを上昇させることにより入出金口４Ｆを開放し利用者と小切手ＣＫを授受可能にすると共に、シャッタ４Ｓを下降させることにより入出金口４Ｆを閉塞する。
【００１９】
入金部４は、利用者から入金された小切手束ＣＫＢ及び利用者へ受け渡す小切手束ＣＫＢを収容し搬送する束搬送部１０を内部に有している。束搬送部１０は、上下一対の上側搬送ベルト及び下側搬送ベルトを有しており、該上側搬送ベルトと該下側搬送ベルトとの間で小切手束ＣＫＢを把持し、小切手ＣＫの長手方向を進行方向として、主に前後方向（水平方向）に沿って搬送させる。
【００２０】
入金部４における束搬送部１０の後方には、ピッカプレス１６が配置されている。ピッカプレス１６は、図示しないピッカプレスモータにより上下動し、入金部４から小切手ＣＫを１枚ずつ分離してアライナ部５へ繰り出す分離動作においては、分離ポジションとなり小切手束ＣＫＢをピッカローラ１９に押し付ける。一方ピッカプレス１６は、束搬送部１０からピッカプレス１６へ小切手束ＣＫＢを搬送する入金束搬送動作と、ピッカプレス１６から束搬送部１０へ小切手束ＣＫＢを搬送する返却束搬送動作と、アライナ部５から入金部４へ小切手ＣＫを搬送して集積させる集積動作とにおいては、分離ポジションからホームポジションへ下方向に移動することにより、その上面を、下側搬送ベルトの上面よりも下側に位置させ、小切手ＣＫの搬送経路から退避し、小切手ＣＫが引っ掛からないようにする。
【００２１】
入金部４における後端で且つピッカプレス１６の後上方であり束搬送部１０に対する入金読取時搬送方向の下流側には、分離部１５が設けられている。分離部１５は、フィードローラ１７及びリバースローラ１８により、小切手束ＣＫＢから小切手ＣＫを１枚ずつ分離する分離ゲートを構成している。ピッカローラ１９は、小切手束ＣＫＢの最上部の１枚の小切手ＣＫに当接しつつ回転することにより、フィードローラ１７及びリバースローラ１８により構成された分離ゲートへ小切手ＣＫを送り込む。
【００２２】
リバースローラ１８のシャフトであるリバースローラシャフトには、部分舌片２３が回転可能に固定されている。この部分舌片２３は、図示しない部分舌片モータで回転することにより、アライナ部５から入金部４へ送り出された小切手ＣＫの後端部分を下方向へ向けて叩き落とす。
【００２３】
分離部１５は、ピッカプレス１６上の小切手束ＣＫＢから小切手ＣＫを１枚ずつに分離して後方へ送り出し、繰出取込口４Ｂから第１搬送路３７に受け渡す。また分離部１５は、第１搬送路３７から受け渡された小切手ＣＫを、未分離の小切手束ＣＫＢの上へ載置させる。
【００２４】
第１搬送路３７は、分離部１５の繰出取込口４Ｂと接続され、筐体２内における上部を前後方向に沿って後方へ向かって進行し、筐体２内の後部において屈曲して下方へ向かってスキャナ部６の後方まで進行し、第１切替部４４と接続されている。
【００２５】
アライナ部５は、筐体２内における後上部であり且つ入金部４の後方、すなわち入金部４の分離部１５に対し入金読取時搬送方向の下流側に位置している。アライナ部５は、分離部１５の繰出取込口４Ｂと第１切替部４４との間を結ぶような、第１搬送路３７の一部である搬送経路が形成されており、この搬送経路に沿って各種搬送ローラが配置されている。またこの搬送経路には、該搬送経路の右端において該搬送経路に沿う図示しないガイドにより、小切手ＣＫにおける搬送方向と紙面に直交する方向とに直交する搬送幅方向の基準位置となる基準面が形成されている。
【００２６】
アライナ部５搬送ローラは、搬送モータの一つである図示しないアライナモータで駆動されることにより、分離部１５から繰り出された小切手ＣＫを引き抜きアライナ部５内へ搬送すると共に、アライナ部５内から分離部１５へ小切手ＣＫを搬送する。以下では、入金読取処理等において入金読取時搬送方向へ小切手ＣＫを搬送させる搬送ローラの回転方向を取込回転方向とも呼び、返却処理等において返却時搬送方向へ小切手ＣＫを搬送させる搬送ローラの回転方向を戻し回転方向とも呼ぶ。アライナ部５は、図示しないテーパローラを小切手ＣＫに当接させつつ小切手ＣＫを搬送することにより、小切手ＣＫを右側、すなわち基準面側に向かう方向に向かって搬送幅方向に移動させ、小切手ＣＫの幅寄せを行う。
【００２７】
第１切替部４４は、中心に位置するブレード４８と、該ブレード４８の周囲に位置するローラ（図示せず）とにより構成されている。ブレード４８は、小切手ＣＫの搬送方向を３通りに切り替える３ウェイブレードである。具体的に第１切替部４４は、上側のアライナ部５と前側のスキャナ部６とを結び第１搬送路３７と第２搬送路３８との間で小切手ＣＫを搬送させる搬送経路を形成するアライナ部スキャナ部搬送モードか、下側の後中搬送部６７と前側のスキャナ部６とを結び第３搬送路３９と第２搬送路３８との間で小切手ＣＫを搬送させる搬送経路を形成する後中搬送部スキャナ部搬送モードか、上側のアライナ部５と下側の後中搬送部６７とを第１第３接続搬送路８４を介して結び第１搬送路３７と第３搬送路３９との間で小切手ＣＫを搬送させる搬送経路を形成するアライナ部後中搬送部搬送モードかを切り替える。
【００２８】
第２搬送路３８は、第１切替部４４と接続され、スキャナ部６内を前後方向に沿って前方へ向かって進行し、スキャナ部６の前方において屈曲して下方へ向かってスキャナ部６と一時保留部７と取忘れ回収部８との間まで進行し、第２切替部４５と接続されている。
【００２９】
スキャナ部６は、筐体２における後側であり且つアライナ部５の下方、すなわちアライナ部５に対し入金読取時搬送方向の下流側に位置している。また第１搬送路３７と第２搬送路３８とは側面視で英大文字の「Ｃ」のような形状、或いは英大文字の「Ｕ」の上側を前方へ向けて回転させたような形状にレイアウトされており、入金部４から入金された小切手ＣＫは、入金部４及びアライナ部５を後方へ向かって搬送され、アライナ部５及び第１切替部４４を通過して、搬送方向が反転し前方へ向かって搬送され、スキャナ部６に到達する。このため、それぞれ小切手表面が上方向を、小切手裏面が下方向を向いた状態で入金部４に挿入された小切手束ＣＫＢの小切手ＣＫは、表裏反転し、それぞれ小切手表面が下方向を、小切手裏面が上方向を向いた状態でスキャナ部６に到達する。
【００３０】
スキャナ部６は、内部に複数種類のセンサが組み込まれており、搬送される小切手ＣＫの画像及び磁気情報を読み取りその読み取り結果を制御部３へ送出すると共に、小切手ＣＫに対し利用済みであることを表す裏書印字及びスタンプ押印等を行う。
【００３１】
具体的にスキャナ部６内には、後側の後受渡口と前側の前受渡口との間を前後方向に沿って直線状に結ぶような、第２搬送路３８の一部である搬送経路が形成されており、この搬送経路に沿って後側から順に、小切手ＣＫの磁気文字ＭＩＣＲを磁化させる永久磁石（図示せず）、磁気文字読取部ヘッド５２、画像読取部５３及び取引情報印字部６６が配置されている。またスキャナ部６内には、これらの各部の間に、搬送モータの一つである図示しないスキャナ部モータにより駆動される搬送ローラが配置されている。
【００３２】
磁気文字読取部ヘッド５２は、磁気センサでなり、搬送経路上を搬送される小切手ＣＫの磁気を検知し、その検知結果を制御部３へ送出する。この磁気文字読取部ヘッド５２は、第２搬送路３８の右寄りに配置されることにより、該第２搬送路３８を搬送される小切手ＣＫにおける右端近傍に配置された磁気文字ＭＩＣＲを読み取れる程度の搬送幅方向に沿う読み取り幅である、読取可能幅を有している。このため磁気文字読取部ヘッド５２は、磁気文字ＭＩＣＲが小切手ＣＫの左側近傍に位置した状態で、すなわち磁気文字側長辺ＭＳが基準面側とは逆側の左側となる状態で搬送された小切手ＣＫにおける磁気文字ＭＩＣＲは、読取可能幅の範囲外となり、読み取れなくなる。制御部３は、磁気文字読取部ヘッド５２から供給された検知結果を基に、永久磁石により磁化された小切手ＣＫの磁気文字ＭＩＣＲを読み取り、小切手ＣＫが真正なもの（いわゆる真券）又は偽造されたもの（いわゆる偽券）の何れであるかを判断する。このとき制御部３は、表向き小切手が搬送された場合、小切手表面側から磁気文字ＭＩＣＲを読み取ることとなり、この磁気文字読取結果を解析することにより、正常に文字列変換し、文字列が反転していない表向き磁気文字列を取得する。一方裏向き小切手が搬送された場合、制御部３は、小切手裏面側から小切手表面側の表裏反転した磁気文字ＭＩＣＲを読み取ることとなり、この磁気文字読取結果を解析することにより、文字列が反転した裏向き磁気文字列を取得する。
【００３３】
以下では、小切手表面（磁気文字印字面）が磁気文字読取部ヘッド５２と対向する状態で搬送路３６を搬送されている小切手ＣＫを表向き小切手とも呼ぶ。それぞれ小切手表面が上方向を小切手裏面が下方向を向いた状態で入金部４に挿入された小切手ＣＫは、入金部４から第１搬送路３７及び第２搬送路３８を介し搬送方向が反転されることにより、それぞれ小切手表面が下方向を小切手裏面が上方向を向いた状態、すなわち小切手表面（磁気文字印字面）が磁気文字読取部ヘッド５２と対向した状態でスキャナ部６に到達する。このため、小切手表面が上方向を向いた状態で入金部４に挿入された小切手ＣＫは、表向き小切手となる。
【００３４】
また以下では、小切手表面（磁気文字印字面）が磁気文字読取部ヘッド５２と対向しない状態で搬送路３６を搬送されている小切手ＣＫを裏向き小切手とも呼ぶ。それぞれ小切手表面が下方向を小切手裏面が上方向を向いた状態で入金部４に挿入された小切手は、入金部４から第１搬送路３７及び第２搬送路３８を介し搬送方向が反転されることにより、それぞれ小切手表面が上方向を小切手裏面が下方向を向いた状態、すなわち小切手表面（磁気文字印字面）が磁気文字読取部ヘッド５２と対向しない状態でスキャナ部６に到達する。このため、小切手表面が下方向を向いた状態で入金部４に挿入された小切手ＣＫは、裏向き小切手となる。
【００３５】
さらに以下では、表向き小切手又は裏向き小切手に限らず、磁気文字側長辺ＭＳが基準面側（右側）となる状態で搬送されている小切手ＣＫを左右正常小切手とも呼び、磁気文字側長辺ＭＳが基準面側とは逆側（左側）となる状態で搬送されている小切手ＣＫを左右反対小切手とも呼ぶ。
【００３６】
画像読取部５３は、搬送経路を挟んで対向する例えばコンタクトイメージセンサ（ＣＩＳ：Contact Image Sensor）の撮像素子である裏面画像読取部５３Ｒ及び表面画像読取部５３Ｓを有している。裏面画像読取部５３Ｒは、搬送経路の上側に配置されており、搬送経路を搬送される小切手ＣＫの小切手裏面を撮像して画像データを生成し、制御部３へ送出する。表面画像読取部５３Ｓは、搬送経路の下側に配置されており、搬送経路を搬送される小切手ＣＫの小切手表面を撮像して画像データを生成し、制御部３へ送出する。このように画像読取部５３は、小切手ＣＫの両面をそれぞれ撮像して画像データを生成し、これらを制御部３へ送出する。
【００３７】
取引情報印字部６６は、スタンプ５４及びプリンタ５５により構成されており、小切手ＣＫに利用済みであることを示す取引情報を印字する。スタンプ５４は、搬送経路の下側に配置されており、利用済みであることを表す取引情報を示すスタンプを小切手表面に押印する（以下ではこれをスタンプ押印とも呼ぶ）。プリンタ５５は、例えばインクジェットプリンタであり、搬送経路の上側に配置されており、利用済みであることを表す取引情報を小切手裏面に印字する（以下ではこれを裏書印字とも呼ぶ）。このようにスタンプ５４は第２搬送路３８の下側に配置され小切手表面にスタンプ押印を行い、プリンタ５５は第２搬送路３８の上側に配置され小切手裏面に裏書印字を行うため、小切手処理機１は、裏向き小切手を表向き小切手に表裏反転させてから取引情報印字部６６に搬送する必要がある。
【００３８】
一時保留部搬送路４０は、第２切替部４５と接続され、前方へ向かって進行し、一時保留部７と接続されている。取忘れ回収部搬送路４１は、第２切替部４５と接続され後方へ向かって進行し、取忘れ回収部８と接続されている。
【００３９】
第２切替部４５は、中心に位置するブレード４９と、該ブレード４９の周囲に位置するローラ（図示せず）とにより構成されている。ブレード４９は、小切手ＣＫの搬送方向を２通りに切り替える２ウェイブレードである。具体的に第２切替部４５は、上側のスキャナ部６と後側の取忘れ回収部８とを結び第２搬送路３８から取忘れ回収部搬送路４１へ小切手ＣＫを搬送させる搬送経路を形成するスキャナ部取忘れ回収部搬送モードか、上側のスキャナ部６と前側の一時保留部７とを結び第２搬送路３８と一時保留部搬送路４０との間で小切手ＣＫを搬送させる搬送経路を形成するスキャナ部一時保留部搬送モードかを切り替える。
【００４０】
一時保留部７は、筐体２内における前側であり且つ入金部４の下方、すなわちスキャナ部６に対し入金読取時搬送方向の下流側に位置しており、後方上側に形成された受渡口（図示せず）と内部との間で小切手ＣＫを双方向へ搬送する。一時保留部７は、いわゆるテープエスクロ方式を採用しており、図示しない一時保留部モータにより駆動される円筒状のドラムの周側面に複数枚の小切手ＣＫをテープと共に巻き付けることで該小切手ＣＫを収納し、またこの周側面から該テープを引き剥がすことで小切手ＣＫを繰り出す。
【００４１】
一時保留部７で一旦保留された小切手ＣＫは、その後の入金収納処理及び返却処理においては搬送方向が反転されてスキャナ部６に搬送される。以下では入金収納処理における小切手ＣＫの搬送方向を入金収納時搬送方向とも呼び、返却処理における小切手ＣＫ及び小切手束ＣＫＢの搬送方向を返却時搬送方向とも呼ぶ。
【００４２】
取忘れ回収部８は、筐体２内における後側でありスキャナ部６の下方且つ一時保留部７の後方、すなわちスキャナ部６に対し入金読取時搬送方向の下流側に位置しており、前後方向に長い直方体状に形成されると共に内部に小切手ＣＫを集積して収納する空間を有している。因みに取忘れ回収部８は、上下方向の長さが小切手収納庫９の半分程度となっている。この取忘れ回収部８は、返却処理において利用者に返却しようとした小切手ＣＫを利用者が入金部４から取り忘れた場合に、該小切手ＣＫが取忘れ回収部搬送路４１により搬送されて来ると、該小切手ＣＫを内部に回収して収納する。
【００４３】
後中搬送部６７は、第３搬送路３９を形成している。この第３搬送路３９は、第１切替部４４と接続され、筐体２内における後部であり取忘れ回収部８の後方を上下方向に沿って下方へ向かって取忘れ回収部８の下方まで進行し、第３切替部４６と接続されている。
【００４４】
第３切替部４６は、中心に位置するブレード５０と、該ブレード５０の周囲に位置するローラ（図示せず）とにより構成されている。ブレード５０は、小切手ＣＫの搬送方向を２通りに切り替える。具体的に第３切替部４６は、上側のスキャナ部６と下側の後下搬送部６８とを結び第２搬送路３８から小切手収納庫第１搬送路４２Ａへ小切手ＣＫを搬送させる搬送経路を形成するか、上側のスキャナ部６と前側の下搬送部６９とを結び第２搬送路３８から小切手収納庫第２搬送路４２Ｂへ小切手ＣＫを搬送させる搬送経路を形成するかを切り替える。
【００４５】
後下搬送部６８は、媒体収納庫第１搬送路としての小切手収納庫第１搬送路４２Ａを形成している。この小切手収納庫第１搬送路４２Ａは、第３切替部４６と接続され、下方へ向かって進行し、第１媒体収納庫としての小切手収納庫９Ａと接続されている。下搬送部６９は、媒体収納庫第２搬送路としての小切手収納庫第２搬送路４２Ｂを形成している。この小切手収納庫第２搬送路４２Ｂは、第３切替部４６と接続され、小切手収納庫９Ａの上方を前後方向に沿って前方へ向かって進行し、第２媒体収納庫としての小切手収納庫９Ｂと接続されている。
【００４６】
媒体収納庫としての小切手収納庫９（９Ａ及び９Ｂ）は、筐体２内における最も下側であり取忘れ回収部８及び一時保留部７の下方、すなわちスキャナ部６に対し入金収納時搬送方向の下流側に前後方向に並んで位置している。小切手収納庫９Ａ及び９Ｂは、何れも同様に構成されており、直方体状に形成されると共に内部に小切手ＣＫを集積して収納する空間を有している。因みに小切手収納庫９は、上下方向の長さが筐体２の３分の１程度となっている。この小切手収納庫９は、スキャナ部６により利用可能であると判断され該スキャナ部６の取引情報印字部６６により取引情報が印字された小切手ＣＫが小切手収納庫第１搬送路４２Ａ又は小切手収納庫第２搬送路４２Ｂにより搬送されて来ると、該小切手ＣＫを内部に収納する。
【００４７】
［１−２．入金処理及び返却処理］
次に、小切手処理機１における小切手ＣＫの入金処理及び返却処理について図１、図４乃至図１６を用いてそれぞれ説明する。なお図４乃至図１６においては小切手処理機１を模式的に表した上で小切手束ＣＫＢ及び小切手ＣＫの流れを示す。
【００４８】
［１−３．入金処理］
まず、利用者（顧客）が小切手処理機１へ小切手ＣＫを入金する入金処理を行う場合について説明する。入金処理において小切手処理機１は、制御部３の制御に基づき、入金された小切手ＣＫの磁気情報及び画像を読み取る入金読取処理を先に行い、利用された小切手ＣＫに取引情報の印字を行った後に適切な収納箇所へ搬送して収納する入金収納処理を次に行う。
【００４９】
［１−３−１．入金読取処理］
次に、小切手処理機１による入金読取処理の具体的な処理手順について、図３のフローチャートを用いて説明する。制御部３は、例えば利用者により操作表示部を介して入金処理を開始する旨の操作入力を受け付けると、記憶部から入金読取処理プログラムを読み出して実行することにより入金読取処理手順ＲＴ１を開始し、ステップＳＰ１へ移る。ステップＳＰ１において制御部３は、シャッタ４Ｓを上昇させ図４に示すように入金部４へ小切手束ＣＫＢを投入させる。続いて制御部３は、図５に示すように分離部１５での分離動作に適した分離位置まで小切手束ＣＫＢを後方へ搬送させる。次に制御部３は、操作表示部を介して小切手束ＣＫＢの取り込みを開始する操作入力を受け付け、入金部４のシャッタ４Ｓを下降させ、ステップＳＰ２へ移る。
【００５０】
ステップＳＰ２において制御部３は、図６に示すように分離部１５の小切手束ＣＫＢを１枚ずつに分離して取り込み、下流に位置するアライナ部５の第１搬送路３７へ順次受け渡す。制御部３は、図示しないテーパローラにより、小切手ＣＫを所定の基準面に幅寄せしつつ図７に示すようにアライナ部５内を搬送させ、小切手ＣＫを第１切替部４４まで搬送させる。このとき第１切替部４４は、アライナ部スキャナ部搬送モードとなっているため、小切手ＣＫは、第１搬送路３７から第１切替部４４を介し第２搬送路３８へ搬送され図８に示すようにスキャナ部６へ到達する。
【００５１】
続いて制御部３は、図９に示すように第２搬送路３８に沿って小切手ＣＫをスキャナ部６内部において前方へ向かって搬送させつつ、磁気文字読取部ヘッド５２により小切手ＣＫの磁気文字ＭＩＣＲの読み取りを行い記憶部に記憶させると共に、裏面画像読取部５３Ｒ及び表面画像読取部５３Ｓにより、それぞれ小切手裏面及び小切手表面の画像を読み取り、読取画像として記憶部に記憶させる。
【００５２】
ステップＳＰ３において制御部３は、図１０に示すように小切手ＣＫの読取時搬送方向の後端が画像読取部５３を通過した読取終了位置まで小切手ＣＫを搬送させ、ステップＳＰ４へ移る。ステップＳＰ４において制御部３は、磁気文字ＭＩＣＲの解析と、読取画像の解析とを行い、ステップＳＰ５へ移る。
【００５３】
ステップＳＰ５において制御部３は、磁気文字ＭＩＣＲを正常に文字列変換できたか、すなわち表向き磁気文字列を取得できたか否かを判定する。ここで肯定結果が得られると、このことは、小切手ＣＫが、表向き小切手であり且つ左右正常小切手であるため、表裏反転動作を行う必要がないことを表し、このとき制御部３はステップＳＰ１５へ移り、小切手ＣＫを一時保留部７に保留させ、ステップＳＰ１６へ移り入金読取処理手順ＲＴ１を終了し入金収納処理へ移る。一方ステップＳＰ５において否定結果が得られると、このことは、小切手ＣＫが、裏向き小切手か又は左右反対小切手の何れか、又はその両方であることを表し、このとき制御部３はステップＳＰ６へ移る。
【００５４】
ステップＳＰ６において制御部３は、磁気文字ＭＩＣＲが不読であったか否かを判定する。ここで肯定結果が得られると、このことは、小切手ＣＫが左右反対小切手であっため磁気文字ＭＩＣＲを読み取れなかったことを表し、この場合、仮に表裏反転動作を行ったとしても磁気文字ＭＩＣＲは小切手ＣＫの左端近傍に位置したままのため磁気文字ＭＩＣＲを読み取れるようにはならないため、このとき制御部３はステップＳＰ１５へ移り、小切手ＣＫを一時保留部７に保留させ、ステップＳＰ１６へ移り入金読取処理手順ＲＴ１を終了し返却処理へ移る。一方ステップＳＰ６において否定結果が得られると、このとき記憶部には、裏向き磁気文字列が記憶されていると共に、それぞれ小切手裏面の読取画像として実際には小切手表面の読取画像が、小切手表面の読取画像として実際には小切手裏面の読取画像が記憶されている。このことは、小切手ＣＫが、裏向き小切手ではあるものの左右正常小切手であるため、表裏反転すれば、裏書印字ができると共に再び磁気文字ＭＩＣＲを読み取れば表向き磁気文字列を取得できることを表し、このとき制御部３はステップＳＰ７へ移る。
【００５５】
ステップＳＰ７において制御部３は、磁気文字印字面が反対面側か否かを判定する。具体的に制御部３は、磁気文字ＭＩＣＲの解析結果に基づき、裏向き磁気文字列を取得した場合、磁気文字印字面が磁気文字読取部ヘッド５２の反対面側であると判定する。ここで否定結果が得られると、このことは、仮に表裏反転動作を行ったとしても磁気文字ＭＩＣＲを正常に読み取れるようにはならないことを表し、このとき制御部３はステップＳＰ１５へ移り、小切手ＣＫを一時保留部７に保留させ、ステップＳＰ１６へ移り入金読取処理手順ＲＴ１を終了し返却処理へ移る。一方ステップＳＰ７において肯定結果が得られると、このことは、小切手ＣＫが、裏向き小切手ではあるものの左右正常小切手であるため、既に裏向き磁気文字列は取得できていると共に、表裏反転すれば、小切手表面側から磁気文字ＭＩＣＲを読み取れ、表向き磁気文字列を取得できることを表し、このとき制御部３はステップＳＰ８へ移る。
【００５６】
ステップＳＰ８において制御部３は、搬送モータを停止させることにより小切手ＣＫの搬送を停止させ、ステップＳＰ９へ移る。ステップＳＰ９において制御部３は、搬送モータを、小切手ＣＫがアライナ部５へ向かうアライナ部回転方向へ回転させ、図１１及び図１２に示すように、第１切替部４４を通過するまで小切手ＣＫをアライナ部５へ向かって搬送させた後に、搬送モータを停止させることにより、小切手ＣＫの搬送を停止させ、ステップＳＰ１０へ移る。
【００５７】
ステップＳＰ１０において制御部３は、第１切替部４４をアライナ部後中搬送部搬送モードに切り替え、ステップＳＰ１１へ移る。ステップＳＰ１１において制御部３は、搬送モータを、小切手ＣＫが小切手収納庫９へ向かう回転方向である小切手収納庫回転方向へ回転させ、図１３に示すように、第１切替部４４を通過するまで小切手ＣＫを小切手収納庫９へ向かって搬送させた後に、搬送モータを停止させることにより、小切手ＣＫの搬送を停止させ、ステップＳＰ１２へ移る。
【００５８】
ステップＳＰ１２において制御部３は、第１切替部４４を後中搬送部スキャナ部搬送モードに切り替え、ステップＳＰ１３へ移る。ステップＳＰ１３において制御部３は、搬送モータを、小切手ＣＫがスキャナ部へ向かうスキャナ部回転方向へ回転させ、図１４に示すように、第１切替部４４を通過させる。これにより制御部３は、小切手ＣＫの表裏を反転させた状態で、再びスキャナ部６に小切手ＣＫを搬送させる。続いて制御部３は、図１５に示すようにスキャナ部６の読取終了位置まで小切手ＣＫを搬送させ、ステップＳＰ１４へ移る。ステップＳＰ１４において制御部３は、再度読み取った磁気文字ＭＩＣＲを解析し、小切手ＣＫを第２切替部４５まで搬送させ、ステップＳＰ１５へ移る。またこのとき制御部３は、ステップＳＰ４において取得した読取画像のデータの表裏を反転させる、すなわち記憶部に記憶させた小切手裏面の読取画像を小切手表面に変換し、記憶部に記憶させた小切手表面の読取画像を小切手裏面に変換する。
【００５９】
このように制御部３は、裏向き小切手から裏向き磁気文字列を取得し、該裏向き小切手を表向き小切手に表裏反転させた後に、該表向き小切手から表向き磁気文字列を取得するようにした。このため制御部３は、表向き小切手の磁気読取結果に基づき表向き磁気文字列を取得することにより、裏向き小切手の磁気読取結果に基づき裏向き磁気文字列を反転させることで表向き磁気文字列を取得するよりも、磁気文字の認識精度を上げることができる。
【００６０】
このとき第２切替部４５は、スキャナ部一時保留部搬送モードとなっているため、ステップＳＰ１５において制御部３は、第２搬送路３８から第２切替部４５を介し一時保留部搬送路４０へ小切手ＣＫを搬送させ一時保留部７内の所定の位置まで搬送させ図１６に示すように１枚の小切手ＣＫを一時保留部７に保留させると、ステップＳＰ１６へ移り、入金読取処理手順ＲＴ１を終了する。
【００６１】
このとき制御部３は、スキャナ部６において読み取った小切手ＣＫの磁気文字ＭＩＣＲ及び画像を操作表示部に表示し、取引内容の確認を利用者に促し、入金処理を継続するか否かを利用者に選択させる。
【００６２】
このように小切手処理機１は、小切手ＣＫが裏向き小切手である場合、裏向き小切手を、第２搬送路３８から、第１搬送路３７へ戻し、第３搬送路３９へ搬送した後に再び第２搬送路３８へ搬送することにより、表裏反転させるようにした。このため小切手処理機１においては、スキャナ部６よりも入金読取時搬送方向の上流側において、第１切替部４４、第１搬送路３７、第２搬送路３８及び第３搬送路３９により、表裏反転部８０が形成されていることとなる。
【００６３】
［１−３−２．入金収納処理］
制御部３は、利用者により取引内容が承認され入金処理の継続が指示された場合、入金収納処理を開始する。具体的に制御部３は、一時保留部７から一時保留部搬送路４０へ向けて小切手ＣＫを繰り出す。このとき第２切替部４５は、スキャナ部一時保留部搬送モードとなっているため、小切手ＣＫは、一時保留部搬送路４０から第２切替部４５を介し第２搬送路３８へ搬送されスキャナ部６へ搬送される。
【００６４】
続いて制御部３は、第２搬送路３８に沿って小切手ＣＫをスキャナ部６内部において後方へ向かって搬送させつつ、プリンタ５５により小切手裏面に取引情報を印字すると共に、スタンプ５４により小切手表面にスタンプ押印を行う。制御部３は、搬送ローラにより小切手ＣＫを第１切替部４４まで搬送させる。
【００６５】
続いて制御部３は、磁気文字読取部ヘッド５２による磁気文字ＭＩＣＲの読み取りを行うことなく、搬送ローラにより小切手ＣＫを第１切替部４４まで搬送させる。このとき第１切替部４４は、後中搬送部スキャナ部搬送モードとなっているため、小切手ＣＫは、第２搬送路３８から第１切替部４４を介し第３搬送路３９へ搬送され、第３切替部４６へ到達する。このとき第３切替部４６は、小切手ＣＫの種類に応じて、スキャナ部６と例えば小切手収納庫９Ａとを結び第２搬送路３８から小切手収納庫第１搬送路４２Ａへ小切手ＣＫを搬送させる搬送経路を形成しているため、小切手ＣＫは、第３搬送路３９から第３切替部４６を介し小切手収納庫第１搬送路４２Ａへ搬送される。続いて制御部３は、小切手ＣＫを小切手収納庫第１搬送路４２Ａに沿って小切手収納庫９Ａまで搬送させ、該小切手収納庫９Ａ内に放出させる。
【００６６】
このように入金処理において利用者が取引内容を承認した場合、小切手処理機１は、入金収納処理を開始し、小切手裏面に取引内容の印字を行うと共に小切手表面にスタンプを押印した後、小切手ＣＫを小切手収納庫９に搬送して集積する。
【００６７】
［１−４．返却処理］
一方、入金読取処理完了後に利用者により取引内容が承認されず入金処理の中止が指示された場合、制御部３は返却処理を開始する。具体的に制御部３は、一時保留部７から一時保留部搬送路４０へ向けて小切手ＣＫを繰り出す。このとき第２切替部４５は、スキャナ部一時保留部搬送モードとなっているため、小切手ＣＫは、一時保留部搬送路４０から第２切替部４５を介し第２搬送路３８へ搬送されスキャナ部６へ搬送される。
【００６８】
続いて制御部３は、第２搬送路３８に沿って小切手ＣＫをスキャナ部６内部において後方へ向かって、プリンタ５５による印字とスタンプ５４によるスタンプ押印とを行うことなく第１切替部４４まで搬送させる。このとき第１切替部４４は、アライナ部スキャナ部搬送モードとなっているため、小切手ＣＫは、第２搬送路３８から第１切替部４４を介し第１搬送路３７へ搬送され、アライナ部５へ到達する。
【００６９】
続いて制御部３は、アライナモータを逆転させることにより搬送ローラを戻し回転方向へ回転させ、小切手ＣＫを入金部４に向かって搬送させる。続いて制御部３は、アライナ部５から放出された小切手ＣＫを分離部１５内の未分離の小切手束ＣＫＢの上に集積させる。
【００７０】
続いて制御部３は入金部４のシャッタ４Ｓを上昇させて小切手束ＣＫＢを前方へ搬送させ、小切手束ＣＫＢの返却時搬送方向の先端を入出金口４Ｆから前方へ露出させ、利用者へ受け渡し、利用者に対し小切手ＣＫの確認を促す。
【００７１】
このように入金処理において利用者が取引内容をキャンセルした場合、小切手処理機１は、返却処理を開始し、入金読取処理時の搬送経路を逆方向に入金部４まで搬送して小切手ＣＫを分離部１５に集積し、未分離の小切手束ＣＫＢと一緒に利用者に返却するようにした。
【００７２】
［１−５．効果等］
従来の小切手処理機においては、小切手ＣＫが、予め設定された表裏の向きの逆方向、すなわち裏向きの状態で投入されてしまうと、裏書印字が行えないため、該小切手ＣＫを顧客に一旦返却し、表裏を反転させ表向きの状態にした上で再度投入させる必要があり、顧客に煩雑な動作を強いると共に取引時間が掛かってしまっていた。
【００７３】
これに対し小切手処理機１は、小切手ＣＫの表裏が反転した状態で投入された場合、該小切手ＣＫを搬送路３６を搬送させつつ表裏反転した上で、プリンタ５５により裏書印字するようにした。このため小切手処理機１は、裏向き小切手を顧客に一旦返却することなく、表裏反転させることができ、顧客に煩雑な動作を強いることがないようにできると共に取引時間を短縮できる。
【００７４】
また小切手処理機１は、小切手ＣＫを第２搬送路３８から第１搬送路３７及び第３搬送路３９に順次搬送させ第２搬送路３８に搬送させることで表裏反転を行うようにした。このため小切手処理機１は、筐体２内に元々設けられている、小切手ＣＫを搬送させるための搬送路を利用して表裏反転を行うことができる。これにより小切手処理機１は、表裏反転を行うための専用の搬送路や表裏反転部を別途追加し構成を複雑化させてしまうことなく、装置の構成を保ったまま表裏反転を行うことができる。
【００７５】
以上の構成によれば小切手処理機１は、紙葉状の媒体である小切手ＣＫを入出する入金部４と、入金部４から搬送される小切手ＣＫを搬送幅方向に幅寄せするアライナ部５と、アライナ部５よりも、入金部４において受け入れた小切手ＣＫの受入搬送方向としての入金収納時搬送方向の下流側に設けられ、小切手ＣＫの所定の印字面である小切手表面及び小切手裏面に取引情報を印字する取引情報印字部６６と、取引情報印字部６６よりも入金収納時搬送方向の下流側に設けられ、小切手ＣＫを一時的に保留する一時保留部７と、入金部４、アライナ部５、取引情報印字部６６及び一時保留部７を順次接続し小切手ＣＫを搬送する搬送路３６と、搬送路３６に設けられ、小切手ＣＫの表裏の向きが予め設定されている向きに対し逆の場合、該小切手ＣＫの表裏を反転し、該小切手ＣＫを印字面に取引情報印字部６６が取引情報を印字し得る向きにする表裏反転部８０とを設けるようにした。
【００７６】
これにより小切手処理機１は、裏向き小切手の表裏を反転することにより、取引情報印字部６６により小切手ＣＫにおける小切手表面にスタンプ押印を、小切手裏面に裏書印字を行うことができる。
【００７７】
［２．第２の実施の形態］
［２−１．小切手処理機の構成］
図１と対応する部材に同一符号を付した図１７に示すように、第２の実施の形態による小切手処理機１０１は、第１の実施の形態による小切手処理機１と比べて、第１切替部４４に代えて第１切替部１４４が、第２切替部４５に代えて第２切替部１４５が設けられている点が異なるものの、それ以外は同様に構成されている。
【００７８】
第１切替部１４４のブレード１４８は、小切手ＣＫの搬送方向を２通りに切り替える。具体的に第１切替部１４４は、アライナ部スキャナ部搬送モードか後中搬送部スキャナ部搬送モードかを切り替える。
【００７９】
第２切替部１４５のブレード１４９は、小切手ＣＫの搬送方向を３通りに切り替える。具体的に第２切替部１４５は、スキャナ部取忘れ回収部搬送モードか、スキャナ部一時保留部搬送モードか、後側の取忘れ回収部８と前側の一時保留部７とを取忘れ回収部一時保留部接続搬送路８２を介して結び取忘れ回収部搬送路４１と一時保留部搬送路４０との間で小切手ＣＫを搬送させる搬送経路を形成する取忘れ回収部一時保留部搬送モードかを切り替える。表裏反転部１８０は、第２切替部１４５、一時保留部搬送路４０及び取忘れ回収部８により構成されており、スキャナ部６よりも入金読取時搬送方向の下流側に設けられている。
【００８０】
［２−２．表裏反転動作］
かかる構成において、入金読取処理で読取終了位置まで小切手ＣＫを搬送させ磁気文字ＭＩＣＲの解析を行い、裏向き小切手であると判定すると、制御部３は、表裏反転動作を行う。制御部３は、第２切替部１４５をスキャナ部取忘れ回収部搬送モードに切り替え、第２切替部１４５を通過するまで小切手ＣＫを取忘れ回収部８へ向かって搬送させ、小切手ＣＫの搬送を停止させる。このとき小切手ＣＫは、搬送方向先端側の一部が取忘れ回収部８内に位置した状態となる。続いて制御部３は、第２切替部１４５をスキャナ部一時保留部搬送モードに切り替え、第２切替部１４５を通過するまで小切手ＣＫを一時保留部７へ向かって搬送させ、小切手ＣＫの搬送を停止させる。これにより制御部３は、裏向き小切手を表裏反転させ表向き小切手にした状態で、一時保留部７に保留させる。
【００８１】
また小切手処理機１０１は、小切手ＣＫを第２搬送路３８から取忘れ回収部搬送路４１に搬送させ搬送方向先端側の一部を取忘れ回収部８内に位置させた状態とし、次に回収部一時保留部接続搬送路８２を搬送させることで表裏反転を行うようにした。このため小切手処理機１０１は、取忘れ回収部８内に元々設けられている、小切手ＣＫを搬送させるための搬送路や空間を利用して、表裏反転を行うことができる。これにより小切手処理機１０１は、表裏反転を行うための専用の搬送路や表裏反転部を別途追加し構成を複雑化させてしまうことなく、装置の構成を保ったまま表裏反転を行うことができる。
【００８２】
また第１の実施の形態による小切手処理機１は、読取終了位置まで小切手ＣＫを搬送させ、裏向き小切手であると判定すると、スキャナ部６内を後方へ向かって搬送させ、スキャナ部６よりも入金読取時搬送方向の上流側である第１切替部４４まで小切手ＣＫを戻し、第１搬送路３７及び第３搬送路３９を用いて表裏反転を行っていた。このように小切手処理機１は、スキャナ部６よりも入金読取時搬送方向の下流側に位置した小切手ＣＫを、スキャナ部６よりも入金読取時搬送方向の上流側の搬送路まで搬送させて表裏反転を行っていたため、表裏反転動作を行う際に時間を要してしまっていた。
【００８３】
これに対し第２の実施の形態による小切手処理機１０１は、読取終了位置まで到達した裏向き小切手を、スキャナ部６よりも入金読取時搬送方向の下流側であり読取終了位置の近傍に位置する取忘れ回収部搬送路４１及び回収部一時保留部接続搬送路８２を用いて表裏反転するようにした。このため小切手処理機１０１は、小切手処理機１よりも、磁気文字読取部ヘッド５２を通過し磁気文字ＭＩＣＲが読み取られた状態における小切手ＣＫの位置により近い箇所で表裏反転できる。これにより小切手処理機１０１は、小切手処理機１よりも表裏反転時に小切手を搬送する距離を少なくでき、短時間で表裏反転動作を完了できる。
【００８４】
また小切手処理機１０１は、小切手ＣＫを第２搬送路３８から取忘れ回収部搬送路４１に搬送させ搬送方向先端側の一部を取忘れ回収部８内に位置させた状態とし、次に回収部一時保留部接続搬送路８２を搬送させることで表裏反転を行うようにした。このため小切手処理機１０１は、取忘れ回収部８内に元々設けられている、小切手ＣＫを搬送させるための搬送路や空間を利用して、表裏反転を行うことができる。これにより小切手処理機１０１は、表裏反転を行うための専用の搬送路や表裏反転部を別途追加し構成を複雑化させてしまうことなく、装置の構成を保ったまま表裏反転を行うことができる。
【００８５】
その他第２の実施の形態による小切手処理機１０１は、第１の実施の形態による小切手処理機１とほぼ同様の作用効果を奏する。
【００８６】
［３．第３の実施の形態］
［３−１．小切手処理機の構成］
図１と対応する部材に同一符号を付した図１８に示すように、第３の実施の形態による小切手処理機２０１は、第１の実施の形態による小切手処理機１と比べて、一時保留部７に代えて左右反転部７０が設けられている点が異なるものの、それ以外は同様に構成されている。また小切手処理機２０１は、第２搬送路３８におけるスキャナ部６よりも前方と、一時保留部搬送路４０と、取忘れ回収部搬送路４１とを、小切手ＣＫを一時的に保留する一時保留部２０７として機能させる。
【００８７】
［３−２．左右反転部の構成］
左右反転部７０は、箱状の左右反転部筐体７２を中心に構成されており、後方上側に形成された受渡口と内部との間で小切手ＣＫを双方向へ搬送する。図１８及び図１９に示すように左右反転部筐体７２内部には、ハンド７４及び搬送ローラ７８が設けられている。搬送ローラ７８は、左右反転部筐体７２の天板下面近傍に設けられており、小切手ＣＫの上面に当接しつつ回転することにより、受渡口からハンド７４に向かって前方へ小切手ＣＫを搬送すると共に、ハンド７４から受渡口に向かって後方へ小切手ＣＫを搬送する。ハンド７４は、上下に対向する上側ハンド及び下側ハンドを有しており、リフト機構７９により上下移動する。
【００８８】
かかる構成において左右反転部７０は、ハンド７４を所定の受渡位置に位置させ、一時保留部搬送路４０から受渡口を介し小切手ＣＫを取り込むと、上側ハンドと下側ハンドとの間で小切手ＣＫを上下に挟み込んで把持する。続いて左右反転部７０は、ハンド７４を所定の回転可能位置まで下降させることにより、ハンド７４と左右反転部筐体７２及び搬送ローラ７８との間に、ハンド７４を回転させる空間を形成し、前後方向（すなわち小切手ＣＫの長辺方向）を軸としてハンド７４を１８０度回転することにより小切手ＣＫの左右を反転させる。続いて左右反転部７０は、ハンド７４を受渡位置まで上昇させることにより搬送ローラ７８に小切手ＣＫの上面を当接させると、下側ハンドを下降させハンド７４の把持力を緩め、搬送ローラを回転させることにより受渡口を介し一時保留部搬送路４０へ小切手ＣＫを繰り出す。
【００８９】
これにより左右反転部７０は、取り込んだ小切手ＣＫの左右を反転させた上で排出する。この左右反転部７０は、紙面に垂直な方向を軸とするのではなく、紙面に沿う方向、すなわち小切手ＣＫの搬送方向に沿う方向を軸として小切手ＣＫを回転させることで左右を反転させるため、小切手ＣＫは、表裏も反転された上で左右反転部７０から排出されることとなる。
【００９０】
また左右反転部筐体７２内における受渡口の近傍には、左右反転部受渡センサ７６が配置されている。左右反転部受渡センサ７６は、例えば光を発光する発光素子とこの光を受光する受光素子とが搬送経路を挟んで対向するように配置されており、該搬送経路を搬送される小切手ＣＫにより光が遮光されたか否かを検知し、その検知結果を制御部３へ送出する。制御部３は、左右反転部受渡センサ７６から供給された検知結果を基に、小切手ＣＫが左右反転部７０の受渡口に位置しているか否かを認識する。
【００９１】
［３−３．入金読取処理］
次に、小切手処理機２０１による入金読取処理の具体的な処理手順について、図２０及び図２１のフローチャートを用いて説明する。制御部３は、例えば利用者により操作表示部を介して入金処理を開始する旨の操作入力を受け付けると、記憶部から入金読取処理プログラムを読み出して実行することにより入金読取処理手順ＲＴ２を開始し、ステップＳＰ１へ移る。入金読取処理手順ＲＴ１（図３）と同じ処理を行うステップに同一符号を付した入金読取処理手順ＲＴ２においては、入金読取処理手順ＲＴ１と異なるステップについて主に説明する。ステップＳＰ１からステップＳＰ４まで入金読取処理手順ＲＴ１と同様の処理を行い、制御部３はステップＳＰ１０５へ移る。
【００９２】
ステップＳＰ１０５において制御部３は、磁気文字ＭＩＣＲを正常に文字列変換でき（すなわち表向き磁気文字列を取得でき）、且つ読取画像を正常に所得できたか否かを判定する。ここで肯定結果が得られると、このことは、小切手ＣＫが、表向き小切手であり且つ左右正常小切手であるため、左右反転動作と表裏反転動作とのどちらも行う必要がないことを表し、このとき制御部３はステップＳＰ１５（図２１）へ移り、小切手ＣＫを一時保留部７に保留させ、ステップＳＰ１１３へ移り入金読取処理手順ＲＴ２を終了し入金収納処理へ移る。一方ステップＳＰ１０５において否定結果が得られると、このことは、小切手ＣＫが、裏向き小切手か又は左右反対小切手の何れか、又はその両方であることを表し、このとき制御部３はステップＳＰ１０６へ移る。
【００９３】
ステップＳＰ１０６において制御部３は、小切手ＣＫの左右が逆であるか否かを判定する。具体的に制御部３は、読取画像に基づき、小切手ＣＫの左右の向きを解析し、左右反対小切手である場合、小切手ＣＫの左右が逆であると判定する。ここで肯定結果が得られると、このことは、小切手ＣＫの左右が逆であり磁気文字ＭＩＣＲが読み取れなかったため左右反転動作を行う必要があることを表し、このとき制御部３は、ステップＳＰ１０７へ移る。一方ステップＳＰ１０６において否定結果が得られると、このことは、仮に左右反転動作を行ったとしても磁気文字ＭＩＣＲを読み取れるようにはならないことを表し、このとき制御部３はステップＳＰ１５へ移り、小切手ＣＫを一時保留部７に保留させ、ステップＳＰ１１３へ移り入金読取処理手順ＲＴ２を終了し返却処理へ移る。
【００９４】
ステップＳＰ１０７において制御部３は、小切手ＣＫを左右反転部７０のハンド７４まで搬送させ、ステップＳＰ１０８へ移る。ステップＳＰ１０８において制御部３は、ハンド７４で小切手ＣＫを把持し回転可能位置まで下降させてから前後方向を軸として１８０度回転させることにより小切手ＣＫの左右を反転させると共に表裏を反転させた後に、該ハンド７４を上昇させて小切手ＣＫを搬送ローラ７８に当接させ、把持力（クランプ）を緩め、ステップＳＰ１０９へ移る。
【００９５】
ステップＳＰ１０９において制御部３は、搬送モータを、小切手ＣＫがスキャナ部６へ向かうスキャナ部回転方向へ回転させ、第２切替部４５を介しスキャナ部６へ搬送し、磁気文字ＭＩＣＲの解析を行い、ステップＳＰ９へ移る。ステップＳＰ９において制御部３は、第１切替部４４を通過するまで小切手ＣＫをアライナ部５へ向かって搬送させた後に、搬送モータを停止させることにより、小切手ＣＫの搬送を停止させ、ステップＳＰ１１０（図２１）へ移る。
【００９６】
ステップＳＰ１１０において制御部３は、表裏反転が必要か否かを判定する。具体的に制御部３は、ステップＳＰ１０９において取得した磁気文字ＭＩＣＲに基づき、裏向き磁気文字列を取得した場合、左右反転後の小切手ＣＫが裏向き小切手であるため表裏反転が必要であると判定する。ここで肯定結果が得られると、このことは、小切手ＣＫが、顧客に投入された際には表向き小切手であり且つ左右反対小切手であり、左右反転動作により左右正常小切手とはなったものの裏向き小切手にもなったため、表裏反転動作を行う必要があることを表し、このとき制御部３はステップＳＰ１０へ移り、入金読取処理手順ＲＴ１（図３）におけるステップＳＰ１０、ＳＰ１１及びＳＰ１２と同様の表裏反転動作を行った後に、ステップＳＰ１３へ移る。これにより小切手ＣＫは、左右正常小切手且つ裏向き小切手の状態から、表裏反転されることにより左右正常小切手且つ表向き小切手となった状態で、スキャナ部６へ搬送される。このとき制御部３は、表向き小切手となった小切手ＣＫの磁気文字ＭＩＣＲの読み取りを小切手表面側から磁気文字読取部ヘッド５２により行い記憶部に記憶させる。ステップＳＰ１４において制御部３は、再度磁気文字ＭＩＣＲの解析を行うことにより表向き磁気文字列を取得し、ステップＳＰ１５へ移り、小切手ＣＫを一時保留部７に保留させ、ステップＳＰ１１３へ移り入金読取処理手順ＲＴ２を終了し入金収納処理へ移る。またこのとき制御部３は、ステップＳＰ４において取得した読取画像のデータの表裏を反転させる。
【００９７】
一方ステップＳＰ１１０において否定結果が得られると、小切手ＣＫが、顧客に投入された際には裏向き小切手であり且つ左右反対小切手であったため、左右反転動作により左右正常小切手となり且つ表向き小切手になったため、表裏反転動作を行う必要がないことを表し、このとき制御部３はステップＳＰ１１１へ移る。
【００９８】
ステップＳＰ１１１において制御部３は、第１切替部４４をアライナ部スキャナ部搬送モードに切り替え、ステップＳＰ１３へ移り、上述した処理と同様の処理を行う。これにより小切手ＣＫは、左右正常小切手且つ表向き小切手の状態のまま、表裏反転されずに、スキャナ部６へ搬送される。
【００９９】
［３−４．効果等］
従来の小切手処理機においては、小切手ＣＫが、予め設定された左右の向きの逆方向、すなわち左右反対小切手の状態で投入されてしまうと、磁気文字読取部ヘッド５２により磁気文字ＭＩＣＲが読み取れないため、該小切手ＣＫを顧客に一旦返却し、左右を逆にした上で再度投入させる必要があり、顧客に煩雑な動作を強いると共に取引時間が掛かってしまっていた。
【０１００】
これに対し小切手処理機２０１は、小切手ＣＫの左右が反転した状態で投入された場合、該小切手ＣＫを左右反転部７０に搬送し左右反転した上で、磁気文字読取部ヘッド５２により磁気文字ＭＩＣＲを読み取るようにした。このため小切手処理機２０１は、左右反対小切手を顧客に一旦返却することなく、左右反転させることができ、顧客に煩雑な動作を強いることがないようにできると共に取引時間を短縮できる。
【０１０１】
また、小切手処理機２０１における第２搬送路３８の左寄りに磁気文字読取部ヘッドを追加することにより、左右反対小切手の磁気文字ＭＩＣＲを読み取ることも考えられる。しかしながらその場合、第２搬送路３８の右寄りに元々設けられている磁気文字読取部ヘッド５２に対し部品を追加することになるため、コストアップになってしまうと共に、サイズの異なる小切手ＣＫに対し、磁気文字読取部ヘッドの位置を合わせる機構が追加で必要になってしまい構成が複雑化してしまう。さらにそのような小切手処理機では、２個設けられた磁気文字読取部ヘッドのうちどちらの磁気文字読取部ヘッドから磁気文字ＭＩＣＲを読み取るかを判断する制御も必要となってしまい、制御が複雑化してしまう。
【０１０２】
これに対し小切手処理機２０１は、第２搬送路３８の右寄りに元々設けられている磁気文字読取部ヘッド５２に、さらに第２搬送路３８の左寄りに新たな磁気文字読取部ヘッドを追加することなく、左右反対小切手を左右反転部７０で左右反転させて左右正常小切手として磁気文字ＭＩＣＲを読み取るようにした。このため小切手処理機２０１は、部品を追加しなくて済むため、コストアップを抑えることができると共に、サイズの異なる小切手ＣＫに対し磁気文字読取部ヘッドの位置を合わせる機構も追加しなくて済むことにより、構成が複雑化してしまうことを防止できる。また小切手処理機２０１は、２個設けられた磁気文字読取部ヘッドのうちどちらの磁気文字読取部ヘッドから磁気文字ＭＩＣＲを読み取るかを判断する制御も不要となるため、制御が複雑化してしまうことを防止できる。
【０１０３】
また小切手処理機２０１は、左右反転部７０において、紙面に沿う方向を軸として小切手ＣＫを回転させることで左右を反転させるようにした。このため左右反転部７０から左右反転されて繰り出された小切手ＣＫは、表裏も反転された状態となる。このため小切手処理機２０１は、左右反転された小切手ＣＫの表裏を解析し、裏向き小切手となっている場合、表裏反転動作を行うようにした。これにより小切手処理機２０１は、磁気文字ＭＩＣＲを正常に読み取ることができると共に、左右反転したために小切手ＣＫの表裏が反転してしまいその後小切手裏面に裏書印字ができなくなってしまうことを防止できる。
【０１０４】
その他第３の実施の形態による小切手処理機２０１は、第１の実施の形態による小切手処理機１とほぼ同様の作用効果を奏する。
【０１０５】
［４．他の実施の形態］
なお上述した第１の実施の形態においては、裏向き小切手を、第２搬送路３８から、第１搬送路３７へ戻し、第３搬送路３９へ搬送した後に再び第２搬送路３８へ搬送することにより、表裏反転させる場合について述べた。本発明はこれに限らず、裏向き小切手を、第２搬送路３８から、第３搬送路３９へ搬送し、第１搬送路３７へ戻した後に再び第２搬送路３８へ搬送することにより、表裏反転させても良い。
【０１０６】
また上述した第１及び第３の実施の形態における入金読取処理手順ＲＴ１（図３）及び入金読取処理手順ＲＴ２（図２１）において、ステップＳＰ１４は行わなくても良い。ステップＳＰ１４は行わない場合や、ステップＳＰ１４において表向き磁気文字列を正常に取得できなかった場合は、ステップＳＰ４において取得した裏向き磁気文字列を反転させて表向き磁気文字列を求めれば良い。
【０１０７】
さらに上述した第１の実施の形態における入金読取処理手順ＲＴ１（図３）のステップＳＰ７においては、磁気文字ＭＩＣＲの読み取り結果に基づき、変換した文字列が反転している場合、磁気文字印字面が反対面側であると判定する場合について述べた。本発明はこれに限らず、読取画像に基づき、磁気文字印字面が反対面側であるか否かを判定しても良い。
【０１０８】
さらに上述した第３の実施の形態における入金読取処理手順ＲＴ２（図２０）のステップＳＰ１０６においては、読取画像に基づき小切手ＣＫの左右の向きを解析することにより小切手ＣＫの左右が逆か否かを判定する場合について述べた。本発明はこれに限らず、磁気文字ＭＩＣＲが不読であった場合、小切手ＣＫの左右が逆であると判定しても良い。
【０１０９】
さらに上述した第３の実施の形態における入金読取処理手順ＲＴ２（図２１）のステップＳＰ１１０においては、磁気文字ＭＩＣＲに基づき、裏向き磁気文字列を取得した場合、左右反転後の小切手ＣＫが裏向き小切手であるため表裏反転が必要であると判定する場合について述べた。本発明はこれに限らず、読取画像に基づき小切手ＣＫの表裏を解析することにより、小切手ＣＫの表裏反転が必要であるか否かを判定しても良い。
【０１１０】
さらに上述した第３の実施の形態においては、ハンド７４を受渡位置から回転可能位置まで下降させた上で回転させる場合について述べた。本発明はこれに限らず、ハンド７４が受渡位置にある状態でも該ハンド７４を回転する空間が確保されている場合、ハンド７４が受渡位置にあるまま回転させて小切手ＣＫの左右を反転させても良い。
【０１１１】
さらに上述した第１及び第３の実施の形態においては、第２切替部４５を２ウェイブレードとする場合について述べた。本発明はこれに限らず、第２切替部４５を第２切替部１４５（図１７）と同様の３ウェイブレードとしても良い。その場合、第３の実施の形態において、第２の実施の形態のように、取忘れ回収部８に一旦小切手ＣＫを搬送することにより表裏反転しても良い。
【０１１２】
さらに上述した第２の実施の形態においては、第１切替部１４４を２ウェイブレードとする場合について述べた。本発明はこれに限らず、第１切替部１４４を第１切替部４４（図１）と同様の３ウェイブレードとしても良い。
【０１１３】
さらに上述した第１の実施の形態においては、読取終了位置まで小切手ＣＫを搬送させ磁気文字ＭＩＣＲの解析と、読取画像の解析とを行う場合について述べた。本発明はこれに限らず、制御部３の処理能力等に応じ、磁気文字ＭＩＣＲの解析と読取画像の解析とを、小切手ＣＫを搬送させつつ平行して行ったり、一時保留部７に一旦保留してから行ったり、任意のタイミングで行って良い。
【０１１４】
さらに上述した実施の形態においては、プリンタ５５及びスタンプ５４の両方を設ける場合について述べた。本発明はこれに限らず、プリンタ５５及びスタンプ５４の何れか一方は省略しても良い。特に、スタンプ５４を省略しプリンタ５５により裏書印字を行うだけでも良い。要は、利用済みであることを示す印字情報の印字を小切手ＣＫに対し行う機構を設ければ良い。
【０１１５】
さらに上述した実施の形態においては、小切手ＣＫを処理する小切手処理機１に本発明を適用する場合について述べた。しかしながら本発明はこれに限らず、例えば種々の金券や証券、或いは各種チケットなど、紙葉状の媒体を処理し該媒体に取引情報の印字を行う種々の装置に適用しても良い。
【０１１６】
さらに上述した実施の形態においては、受入部としての入金部４と、幅寄せ部としてのアライナ部５と、取引情報印字部としての取引情報印字部６６と、一時保留部としての一時保留部７と、搬送路としての搬送路３６と、表裏反転部としての表裏反転部８０とによって、媒体処理装置としての小切手処理機１を構成する場合について述べた。しかしながら本発明はこれに限らず、その他種々の構成でなる受入部と、幅寄せ部と、取引情報印字部と、一時保留部と、搬送路と、表裏反転部とによって、媒体処理装置を構成しても良い。
【産業上の利用可能性】
【０１１７】
本発明は、例えば媒体を表裏反転する装置でも利用できる。
【符号の説明】
【０１１８】
１、１０１、２０１……小切手処理機、２……筐体、３……制御部、４……入金部、４Ｆ……入出金口、４Ｂ……繰出取込口、４Ｓ……シャッタ、５……アライナ部、６……スキャナ部、７、２０７……一時保留部、８……取忘れ回収部、９……小切手収納庫、１０……束搬送部、１５……分離部、１６……ピッカプレス、１７……フィードローラ、１８……リバースローラ、１９……ピッカローラ、２３……部分舌片、３６……搬送路、３７……第１搬送路、３８……第２搬送路、３９……第３搬送路、４０……一時保留部搬送路、４１……取忘れ回収部搬送路、４２Ａ……小切手収納庫第１搬送路、４２Ｂ……小切手収納庫第２搬送路、４４、１４４……第１切替部、４５、１４５……第２切替部、４６……第３切替部、４８、１４８……ブレード、４９、１４９……ブレード、５０……ブレード、５２……磁気文字読取部ヘッド、５３……画像読取部、５３Ｒ……裏面画像読取部、５３Ｓ……表面画像読取部、５４……スタンプ、５５……プリンタ、６６……取引情報印字部、６７……後中搬送部、６８……後下搬送部、６９……下搬送部、７０……左右反転部、７２……左右反転部筐体、７４……ハンド、７６……左右反転部受渡センサ、７８……搬送ローラ、７９……リフト機構、８０、１８０……表裏反転部、８２……回収部一時保留部接続搬送路、８４……第１第３接続搬送路、ＣＫ……小切手、ＣＫＢ……小切手束。
【図１】
2017186132.tif 000003
【図２】
2017186132.tif 000004
【図３】
2017186132.tif 000005
【図４】
2017186132.tif 000006
【図５】
2017186132.tif 000007
【図６】
2017186132.tif 000008
【図７】
2017186132.tif 000009
【図８】
2017186132.tif 000010
【図９】
2017186132.tif 000011
【図１０】
2017186132.tif 000012
【図１１】
2017186132.tif 000013
【図１２】
2017186132.tif 000014
【図１３】
2017186132.tif 000015
【図１４】
2017186132.tif 000016
【図１５】
2017186132.tif 000017
【図１６】
2017186132.tif 000018
【図１７】
2017186132.tif 000019
【図１８】
2017186132.tif 000020
【図１９】
2017186132.tif 000021
【図２０】
2017186132.tif 000022
【図２１】
2017186132.tif 000023